(57)【要約】【課題】各種分野の情報の配信に関するターゲットを簡単に特定できるようにすると共に、配信依頼者自身がターゲットの条件を簡単に指定できるようにする。【解決手段】サーバ１の属性情報処理部１２は、ユーザ端末２から、内部の楽曲フォルダ２５に保存されている楽曲ファイルの属性情報の送信を受け付けて、ユーザの音楽の好みを表す分析情報がユーザの固有情報に紐付けられて格納された分析テーブルを作成し、分析テーブル記憶部１０Ｂに登録する。配信依頼受付部１５は顧客端末３から音楽の好みに関する条件によるターゲットの指定情報を含む配信依頼通知を受け付ける。ターゲット抽出部１６は、分析テーブル記憶部１０Ｂを検索して指定情報に適合する内容の分析テーブルを抽出し、当該分析テーブルに紐付けられているユーザの固有情報によりターゲットを特定する。配信処理部１８は、特定されたターゲットのユーザ端末２に、依頼された情報を配信する。【選択図】図１
2017027481.tif 000002
【特許請求の範囲】
【請求項１】
複数人の配信先候補者に関する固有情報が登録された登録手段と、配信依頼者の端末装置からの配信依頼通知に応じて前記登録手段に登録された配信先候補者の中から前記配信依頼通知の内容に適合するターゲットを抽出するターゲット抽出手段と、抽出されたターゲットに関して前記登録手段に登録されている固有情報に基づき、当該ターゲットの端末装置に前記配信依頼通知により依頼された情報を配信する情報配信手段とを具備するサーバであって、
前記登録手段に登録されている配信先候補者の端末装置との通信により当該端末装置に保存されている楽曲ファイルの属性情報を取得し、取得した属性情報又は当該属性情報から求めた配信先候補者の音楽の好みを表す分析情報を、前記配信先候補者の固有情報に紐付けて保存する属性情報処理手段を、さらに具備し、
前記ターゲット抽出手段は、前記配信依頼者の端末装置から音楽の好みに関する条件によるターゲットの指定情報を含む配信依頼通知を受け付けたことに応じて、前記属性情報処理手段により保存された配信先候補者毎の情報の中から前記指定情報に適合する情報を抽出し、抽出された情報に紐付けられている固有情報によりターゲットを特定する、
情報配信用サーバ。
【請求項２】
前記属性情報処理手段は、配信先候補者の端末装置に保存されている楽曲ファイルの属性情報のうち、少なくとも当該ファイルに格納されている楽曲のジャンルに関する情報を取得し、
前記ターゲットの指定情報には、好みの音楽のジャンルに関する指定が含まれる、
請求項１に記載された情報配信用サーバ。
【請求項３】
前記ターゲット抽出手段は、受け付けた配信依頼通知中の前記ターゲットの指定情報に適合する属性情報を所定回数以上取得している配信先候補者をターゲットとして抽出する、請求項１に記載された情報配信用サーバ。
【請求項４】
前記登録手段に登録された配信先候補者の端末装置又は登録のためのアクセスをした端末装置に対し、その装置に保存されている楽曲ファイルから属性情報を抽出して前記サーバに送信する機能を当該端末装置に付与するプログラムを送信するプログラム提供手段を、さらに具備する請求項１又は２に記載された情報配信用サーバ。
【請求項５】
配信依頼者からの配信依頼通知に応じて、複数人の配信先候補者の中から前記配信依頼通知の内容に適合するターゲットを抽出し、抽出されたターゲットに対して前記配信依頼者から依頼された情報を配信する方法であって、
各配信先候補者の端末装置からそれぞれ当該端末装置に保存されている楽曲ファイルの属性情報の送信を受け付けて、受け付けた属性情報又は当該属性情報から求めた配信先候補者の音楽の好みを表す分析情報を配信先候補者毎にその固有情報に紐付けて保存し、
前記配信依頼者から音楽の好みに関する条件によるターゲットの指定情報を含む配信依頼通知を受け付けて、保存されている配信先候補者毎の情報の中から前記配信依頼通知中の指定情報に適合する情報を抽出し、抽出された情報に紐付けられている固有情報によりターゲットを特定する、情報配信方法。
【発明の詳細な説明】
【技術分野】
【０００１】
本発明は、商品やサービスの広告、イベントの案内などの事業活動に関する情報を、情報発信元からの依頼に応じて配信するサービスを、インターネットを介して行うための技術に関する。
【背景技術】
【０００２】
上記のサービスの業務は、主として、事業者からの情報配信依頼を受け付けて、依頼された情報をあらかじめ登録されたユーザの端末装置に配信するインターネットサーバにより実施される。配信された情報に対するユーザの反応の度合いを高めるために、サーバには、各ユーザがインターネットを閲覧する過程で入力した情報を収集する機能や、収集された情報を分析して配信のターゲットとなるユーザを特定する機能が設けられている（たとえば、特許文献１，２を参照。）。
【先行技術文献】
【特許文献】
【０００３】
【特許文献１】特開２００７−１８８１５０号公報
【特許文献２】特開２０１２−９３８６４号公報
【発明の概要】
【発明が解決しようとする課題】
【０００４】
従来の方法では、配信される情報に関連する分野に関する情報が取得されていなければ、ターゲットの特定に必要な分析を行うのは困難である。このため、様々な情報に対するターゲットを的確に特定するには、多量の情報を収集する必要があり、データベースの構成や分析のアルゴリズムが複雑になる。また、配信依頼者自身にターゲットの条件を指定させる場合でも、発信する情報の分野に関する指定を自由に受け付けることは困難である。
【０００５】
たとえば、上記の特許文献１には、サーバでの分析処理により割り出されたターゲット属性を配信依頼者（広告主）に通知して、その通知に基づくターゲットを配信依頼者が自動的に選択できるようにしているが、配信依頼者自身がターゲットの具体像を指定できるような工夫は示されていない。
【０００６】
本発明は、上記の問題に着目し、様々な分野における関心の傾向と相関性を有する情報を、ターゲットの指定や絞り込みに活用することによって、簡易なシステム構成で各種分野の情報の配信に関するターゲットを特定できるようにすること、および配信依頼者自身がターゲットの条件を簡単に指定できるようにすることを、課題とする。
【課題を解決するための手段】
【０００７】
本発明にかかる情報配信用サーバは、複数人の配信先候補者に関する固有情報が登録された登録手段と、配信依頼者の端末装置からの配信依頼通知に応じて登録手段に登録された配信先候補者の中から前記配信依頼通知の内容に適合するターゲットを抽出するターゲット抽出手段と、抽出されたターゲットに関して登録手段に登録されている固有情報により基づき、当該ターゲットの端末装置に前記配信依頼通知により依頼された情報を配信する情報配信手段とを具備する。
【０００８】
上記のサーバには、さらに、登録手段に登録されている配信先候補者の端末装置との通信により当該端末装置に保存されている楽曲ファイルの属性情報を取得し、取得した属性情報又は当該属性情報から求めた配信先候補者の音楽の好みを表す分析情報を、配信先候補者の固有情報に紐付けて保存する属性情報処理手段が設けられる。また、ターゲット抽出手段は、配信依頼者の端末装置から音楽の好みに関する条件によるターゲットの指定情報を含む配信依頼通知を受け付けたことに応じて、属性情報処理手段により保存された配信先候補者毎の情報の中から指定情報に適合する情報を抽出し、抽出された情報に紐付けられている固有情報によりターゲットを特定する。
【０００９】
上記構成によれば、配信先候補者の端末装置において、配信先候補者が自身の好みに従って音楽配信サイトなどから取得した楽曲ファイルの属性情報が抽出されてサーバに送信され、配信先依頼者の端末装置において、音楽の好みに関する条件によるターゲットの指定情報を含む配信依頼通知をサーバに送信することにより、配信依頼者の要望に応じたターゲットを特定して依頼された情報を配信することができる。また、音楽分野に関する情報に限らず、その他の芸術や、ファッション、雑貨、サービス事業など、音楽の好みに対する相関性が認められる情報の配信に関して、ターゲットを的確に特定することができる。
【００１０】
上記サーバの好ましい一実施形態では、属性情報処理手段は、配信先候補者の端末装置に保存されている楽曲ファイルの属性情報のうち、少なくとも当該ファイルに格納されている楽曲のジャンルに関する情報を取得する。また、ターゲットの指定情報にも、好みの音楽のジャンルに関する指定が含まれる。
【００１１】
上記の実施形態によれば、配信依頼者は、「音楽のジャンルに関する好み」という具体的な情報と自身が配信したい情報との相関性をふまえて、ターゲットの条件を設定することができる。また、サーバでは、元の属性情報のジャンル分けを利用でき、属性情報の複雑な分析を行う必要がない。
【００１２】
上記サーバの他の実施形態におけるターゲット抽出手段は、受け付けた配信依頼通知中の前記ターゲットの指定情報に適合する属性情報を所定回数以上取得している配信先候補者をターゲットとして抽出する。この実施形態によれば、複数の楽曲ファイルの属性情報からユーザの好みを表す数値情報を求めて、ターゲットを容易に抽出することができる。
【００１３】
上記のサーバの他の実施形態には、登録手段に登録された配信先候補者の端末装置又は登録のためのアクセスをした端末装置に対し、その装置に保存されている楽曲ファイルから属性情報を抽出してサーバに送信する機能を当該端末装置に付与するプログラムを送信するプログラム提供手段が設けられる。この実施形態によれば、ユーザが登録後又は登録の際に上記のプログラムをダウンロードすることによって、端末装置に保存されている楽曲データの属性情報を適宜サーバに送信することが可能になる。
【００１４】
本発明による情報配信方法では、各配信先候補者の端末装置からそれぞれ当該端末装置に保存されている楽曲ファイルの属性情報の送信を受け付けて、受け付けた属性情報又は当該属性情報から求めた配信先候補者の音楽の好みを表す分析情報を配信先候補者毎にその固有情報に紐付けて保存する。そして、配信依頼者から音楽の好みに関する条件によるターゲットの指定情報を含む配信依頼通知を受け付けて、保存されている配信先候補者毎の情報の中から前記配信依頼通知中の指定情報に適合する情報を抽出し、抽出された情報に紐付けられている固有情報によりターゲットを特定する。
【００１５】
上記の方法において、配信依頼者からの配信依頼通知の受け付けは、配信依頼者の端末装置との通信により行うことができるが、これに限らず、配信依頼者からの口頭又は書面による通知に応じてその通知の内容をサーバに入力する方法を採用してもよい。またターゲットとして特定された配信先候補者への情報の配信は、楽曲ファイルの属性情報の送信が行われた端末装置に対して行う場合のほか、パスワードを用いた認証や電子メールの通知などを介して任意の端末装置から配信対象の情報にアクセスできるようにしてもよい。またデータ送信に代えて、配信情報が印刷された紙媒体をターゲットとなった配信先候補者に送付するための情報処理を行ってもよい。
【発明の効果】
【００１６】
本発明によれば、各配信先候補者が自身の好みに従って取得した楽曲データの属性情報を利用することにより、様々な分野の情報配信に関するターゲットを配信依頼者自身が容易に指定して、その指摘に適合するターゲットを抽出することが可能になる。また、配信依頼者から様々な分野に関する情報を集める必要がないので、データベースの構成や情報処理を簡単にすることができ、システム開発が容易になる。
【図面の簡単な説明】
【００１７】
【図１】本発明が適用された情報配信サーバおよび各端末装置の機能ならびに各装置間の関係を示す機能ブロック図である。
【図２】サーバ内のデータベースの主要な構成を示す説明図である。
【図３】ユーザ端末のアプリケーションによる処理の手順と、ユーザ端末からのログインを受けたサーバにおける処理の手順とを、関連づけて示したフローチャートである。
【図４】顧客端末からのログインを受けたサーバにおける処理の手順を示すフローチャートである。
【図５】顧客端末に送信される入力フォームの構成例を示す図である。
【図６】ターゲットのユーザ端末への情報配信のためにサーバで実行される処理の手順を示すフローチャートである。
【発明を実施するための形態】
【００１８】
図１は、本発明が適用された情報配信サーバ１の機能を、端末装置との関係と共に示したものである。この情報配信サーバ１（以下、単に「サーバ１」という。）は、様々な事業者（以下「顧客」という。）から商品やサービスに関する情報の配信依頼を受けて、依頼された情報を依頼者から指定された条件に適合する人に配信するサービスを実行する目的で開発されたものである。
【００１９】
このサーバ１には、情報の配信先候補者である一般ユーザの端末装置２（以下「ユーザ端末２」という。）と、顧客の端末装置３（以下「顧客端末３」という。）とが、インターネットを介して接続される。いずれの端末装置２，３とも、パーソナルコンピュータ、スマートフォン、タブレット端末など、入出力の機能を有し、サーバ１から送信された情報を表示することができるものであれば、種別を問わない。
【００２０】
ユーザ端末２には、サーバ１から提供されたプログラムによって、配信のターゲットを特定するのに必要な情報をサーバ１に提供するための機能（楽曲属性情報抽出部２１，楽曲属性情報送信部２２）や、具体的な情報であるコンテンツデータの配信をサーバ１から受けて、この情報によるコンテンツを再生する機能（コンテンツ受信部２３，コンテンツ再生処理部２４）を有するアプリケーション２０が組み込まれる。一方、顧客端末３には特別な機能は設けられず、後述する入力フォーム（図５を参照。）を介してサーバ１に配信依頼の通知が送信される。
【００２１】
サーバ１は、前述のプログラムをユーザ端末２に送信するアプリケーション提供部１３のほか、ユーザ情報記憶部１０Ａ，分析テーブル記憶部１０Ｂ，配信情報記憶部１０Ｃ，配信管理テーブル記憶部１０Ｄ，顧客情報記憶部１０Ｅなどによるデータベース機能と、ユーザ登録処理部１１，属性情報処理部１２，顧客登録処理部１４，配信依頼受付部１５，ターゲット抽出部１６，管理テーブル作成部１７，配信処理部１８などを有する。なお、サーバ１は、配信先の条件の指定を受けて行う情報配信のほか、登録された全てのユーザに共通の情報を、各ユーザに一斉に配信することもできる。
【００２２】
アプリケーション提供部１３は、新規のユーザ端末２からのダウンロード要求に応じて当該ユーザ端末２にアプリケーションを構成するプログラムを送信する。ユーザ登録処理部１１は、プログラムの配信を受けたユーザ端末２に、情報配信のための登録手続を促すメッセージを送り、このメッセージに応じてユーザ端末２から送信されたユーザの固有情報を、ユーザ情報記憶部１０Ａに登録する。さらにユーザ登録処理部１１は、登録が完了したユーザ端末２からのログインに対し、ユーザ情報記憶部１０Ａの登録情報を用いた認証処理を実行する。なお、ユーザ登録時の処理については、上記とは逆に、ユーザ情報記憶部１０Ａへの登録を完了させてから、アプリケーションプログラムを提供することもできる。
【００２３】
この実施例のユーザ情報記憶部１０Ａには、ユーザ毎に、図２（Ａ）に示すように、ログインのためのユーザＩＤおよびパスワード、ユーザ名、Ｅメールアドレスの４種類が基本情報として登録されている。ユーザ情報記憶部１０Ａには、基本情報以外の任意の情報を登録することもできる。
【００２４】
属性情報処理部１２は、ユーザ端末２の楽曲属性情報送信部２２から楽曲ファイルの属性情報（詳細は後述する。）の送信を受け付ける。さらに属性情報処理部１２は、取得した属性情報を分析して、図２（Ｂ）に示すような分析テーブルを作成し、これを分析テーブル記憶部１０Ｂに保存する。分析テーブルは、ユーザＩＤをキーとして基本情報に紐付けられる。
【００２５】
顧客登録処理部１４は、新規の顧客端末３からのアクセスに応じて、顧客ＩＤ、パスワード、事業所名、Ｅメールアドレスなどの固有情報を受け付け、これらを顧客情報記憶部１０Ｅに登録する。また、登録済みの顧客端末３からのログインに応じて、顧客情報記憶部１０Ｅの登録情報を用いた認証処理を実行する。
【００２６】
配信依頼受付部１５は、上記の認証が完了した顧客端末３から配信対象の情報や配信条件の指定情報を受け付ける。配信対象の情報には、画像データや音声データなどのコンテンツデータと通知用のメール文書データとが含まれる。配信依頼受付部１５は、依頼毎に固有の識別コード（以下「コンテンツＩＤ」という。）を付したフォルダを配信情報記憶部１０Ｃに設定し、このフォルダ内に、受け付けたコンテンツデータやメール文書データのデータファイルを保存する（図２（Ｃ）を参照。）。
【００２７】
配信条件の指定情報は、情報の配信先であるターゲットを表す情報と、最初の通知の日時とが含まれる。ターゲット抽出部１６は、分析テーブル記憶部１０Ｂからターゲットの指定情報に適合する内容の分析テーブルを抽出し、抽出されたテーブルに保存されているユーザＩＤを、ターゲットを表す情報として特定する。管理テーブル作成部１７は、図２（Ｄ）に示すように、配信情報記憶部１０Ｃに保存された各情報のコンテンツＩＤと通知日時およびターゲットの指定との対応関係を表す配信管理テーブルを作成する。
【００２８】
配信処理部１８は、上記の配信管理テーブルを参照して、通知日時が到来した情報のターゲットに、配信対象のコンテンツデータの格納場所（アドレス）へのリンク情報を含む電子メールを配信する。この電子メールを受信したユーザ端末２においてリンク先へのアクセスが実行されると、サーバ１でのユーザ認証の後に、リンク先に保存されていたコンテンツデータがサーバ１の配信処理部１８から送信される。コンテンツデータを受信したユーザ端末２では、コンテンツ再生処理部２４によって、コンテンツデータの種別に応じた再生処理（画像の表示や音声の出力など）が実行される。
【００２９】
この実施例における分析テーブルの元情報となる属性情報は、ユーザ端末２の楽曲属性情報抽出部２１によって、当該ユーザ端末２の楽曲フォルダ２５に保存されている楽曲ファイルから抽出されたものである。楽曲フォルダ２５はユーザ端末２に標準装備されているもので、楽曲ファイルは、ユーザ自身が楽曲提供サイトなどから取得したものである。
【００３０】
楽曲ファイルの属性情報には、曲名、作曲者名、実演者名、ジャンル、リリース年、演奏時間などの複数種の情報が含まれる。ユーザ端末２からは、属性情報全体が抽出されてサーバ１に送信されるが、サーバ１の属性情報処理部１２は、受信した属性情報の中からジャンルに関する情報とリリース年に関する情報とを抽出して分析テーブルを作成する。
【００３１】
分析テーブルは、図２（Ｂ）に示すように、ジャンルとリリースの年度との組み合わせを複数のグループに分けて、各グループにあてはまる属性情報を取得した頻度を格納した構成である。ただし、図示例の「クラシック」のように、年代による区分けをせずに、ジャンルのみで１つのグループが設定される場合もある。
【００３２】
配信依頼受付部１５が受け付けるターゲットの指定でも、上記の分析テーブルの構成に従って、ジャンル、またはジャンルと年代との組み合わせによりターゲットを特定する（図５のターゲット指定欄３３を参照。）。しかし、配信対象として受け付けることができる情報は、音楽分野に限らず、服飾、雑貨、家具、書籍、映画、演劇など、音楽の好みによりターゲットに適した人を表現することが可能な様々な分野の情報を受け付けることができる。
【００３３】
具体例として、たとえば、ビンテージジーンズのショップの商品紹介を配信するターゲットとして「１９７０年代のロックの愛好家」を指定し、バーボンウイスキーの広告を配信するターゲットとして「１９６０年代のジャズの愛好家」を指定し、高級輸入家具の展示会の案内を配信するターゲットとして「クラシック愛好家」を指定することができる。これらの例のように、配信対象の情報への関心度と音楽の好みとの間に相関性が認められる情報に関しては、年齢や職業や居住地域などの一般的な項目に基づいてターゲットを絞り込むよりはるかに高い確率で、配信される情報に対するユーザ側からの反応を獲得することができる。
【００３４】
また、楽曲ファイルの属性情報という特定の情報を収集することによって、他の様々な分野に関するユーザの情報を収集しなくとも、それらの分野に関する情報配信のターゲットを抽出することができる。サーバ１では、各ユーザ端末２から収集した属性情報からジャンルと年代との組み合わせ毎の頻度データという簡単な構成の分析テーブルを作成することにより、ターゲットの抽出に必要なデータソースを構築でき、ターゲットの抽出のために複雑な情報処理を行う必要もないので、システム開発の労力を軽減することができる。
【００３５】
図３は、ユーザ端末２のアプリケーション２０により実行される処理の手順と、ユーザ端末２からのログインに応じてサーバ１で実行される処理の手順とを、関連づけて表したものである。
【００３６】
ユーザ端末２からサーバ１へのログインは、電子メールのリンク情報に対するアクセスが行われた時のほか、ユーザ登録の完了直後に行われる。以下の説明は、ユーザ登録直後のログインに関するものである。
【００３７】
ユーザ端末２からのログイン（ステップＳ１）と、サーバ１における認証処理（ステップＳ１１）とが完了すると、ユーザ端末２では、楽曲属性情報抽出部２１が楽曲フォルダ２５の検索を実行する（ステップＳ２）。初回のログイン時の検索で見つかった楽曲ファイルは全て新規のファイルと判定され（ステップＳ３が「ＹＥＳ」）、それぞれの楽曲ファイルの属性情報が楽曲属性情報抽出部２１により抽出される（ステップＳ４）。楽曲属性情報送信部２２は、抽出された属性情報をサーバ１に送信し（ステップＳ５）、その送信の日時をユーザ端末２の図示しないメモリに保存する（ステップＳ６）。
【００３８】
サーバ１では、属性情報処理部１２が上記の送信を受け付けて（ステップＳ１２が「ＹＥＳ」）、受信した属性情報からジャンルおよびリリース年に関する情報を抽出する（ステップＳ１３）。
【００３９】
ここで属性情報処理部１２は、ステップＳ１１で認証されたユーザＩＤを含む分析テーブルが分析テーブル記憶部１０Ｂに登録されているか否かをチェックする。初回のログインを受け付けた直後には該当する分析テーブルは登録されていないため、ステップＳ１４は「ＮＯ」となる。この判定を受けて属性情報処理部１２は、認証されたユーザＩＤとステップ１３での抽出結果に基づく頻度データが格納された新規の分析テーブルを作成し、分析テーブル記憶部１０Ｂに登録する。
【００４０】
初回のログイン時のユーザ端末２では、上記ステップＳ１〜Ｓ６が実行された後のステップＳ７が「ＹＥＳ」となって処理を終了する。ログインを受けたサーバ１でも、ステップＳ１５での分析テーブルの登録をもって、初回ログインに対する処理を終了する。
【００４１】
図４は、サーバ１が顧客端末３からのログインに対して実行する処理の流れを示すものである。この処理では、ログインをした顧客端末３に対する認証（ステップＳ２１）の後に、配信依頼受付部１５が顧客端末３に入力フォームを送信し、コンテンツデータおよびメール文書データの送信や、ターゲットおよび通知日時の指定を受け付ける（ステップＳ２２）。
【００４２】
図５は、顧客端末３に送られる入力フォームの構成例を示すもので、メール文書データの入力欄３０、コンテンツデータのアップロード用のボタン３１、通知日時の指定入力欄３２、ターゲットの指定入力欄３３などが設けられている。通知日時の指定入力欄３２は、現在の日時が選択された初期状態から、その選択を自由に変更できるように構成されている。ターゲットの指定入力欄３３は、ジャンルを必須の選択項目として１つ選択させると共に、選択されたジャンルに関する年代を任意で選択できる（複数の選択が可能）ように構成されている。なお、図５では、図示の都合上、選択できるジャンルを１つのみとしているが、複数のジャンルを指定することも可能である。
【００４３】
図４に参照を戻す。上記の入力フォームを介した受付処理が終了すると、配信依頼受付部１５は、受け付けたコンテンツデータおよびメール文書データに共通のコンテンツＩＤを付与すると共に、このコンテンツＩＤをフォルダ名とする新規のフォルダを配信情報記憶部１０Ｃに設定し、当該フォルダ内に上記のコンテンツデータおよびメール文書データを保存する（ステップＳ２３）。
【００４４】
ターゲット抽出部１６は、分析テーブル記憶部１０Ｂを対象に、ステップＳ２２で受け付けられたターゲットの指定情報に適合する内容の分析テーブルを探す検索を実施する。具体的には、ターゲットの指定情報が示すジャンル、又はジャンルと年代との組み合わせを検索キーとして、分析テーブル記憶部１０Ｂにおいて、検索キーに対してあらかじめ定めた基準値以上の頻度が格納されている分析テーブルを検索する。そして、見つかった分析テーブルからユーザＩＤを抽出する（ステップＳ２４）。
【００４５】
管理テーブル作成部１７は、ステップＳ２３で設定されたコンテンツＩＤと、ステップ２２で受け付けた通知日時と、ステップＳ２４で抽出されたユーザＩＤとを含む新規のレコードを作成して、これを配信管理テーブル記憶部１０Ｄ（図２（Ｄ）を参照。）に保存する（ステップＳ２５）。この保存をもって、顧客端末３のログインに対する処理が終了する。
【００４６】
図６は、上記図４の手順によりターゲットとして特定されたユーザに、電子メールによる通知を送信する処理の手順を示すものである。
【００４７】
この処理は、主として配信処理部１８により実行される。配信処理部１８は、適宜、配信管理テーブルの通知日時をチェックしており（ステップＳ３１）、いずれかの通知日時の到来までの残り時間が所定の閾値範囲（たとえば数分間程度）に入ったと判別すると（ステップ３２が「ＹＥＳ」）、ステップＳ３３〜Ｓ３６を実行する。
【００４８】
ステップＳ３３では、通知日時が閾値範囲に入っているレコードからコンテンツＩＤおよびユーザＩＤを読み出す。ステップＳ３４では、読み出されたユーザＩＤによりユーザ情報記憶部１０Ａを検索して、当該ユーザＩＤに対応するＥメールアドレスを取得する。
【００４９】
ステップＳ３５では、ステップＳ３３で読み出されたコンテンツＩＤにより配信情報記憶部１０Ｃを検索し、当該コンテンツＩＤをフォルダ名とするフォルダからメール文書データを読み出すと共に、当該フォルダ内のコンテンツデータのアドレス（ｕｒｌ）を取得する。
【００５０】
ステップＳ３６では、上記のメール文書データとコンテンツデータのアドレスへのリンク情報とを含む電子メールを作成して、ステップＳ３４で取得したＥメールアドレス宛に送信する。
【００５１】
ここで再び図３を参照して、上記のメールを受信したユーザ端末２でリンク先へのアクセスが実行されたときに、ユーザ端末２およびサーバ１で実行される処理について説明する。
【００５２】
この場合のユーザ端末２でも、サーバ１へのログイン後に楽曲属性情報抽出部２１によって楽曲フォルダ２５が検索される。この検索において前回のログイン時のステップＳ６で保存された送信日時より後にダウンロードされた楽曲ファイルが見つかると（ステップＳ３が「ＹＥＳ」）、当該楽曲ファイルの属性情報が抽出されてサーバ１に送信され（ステップＳ４，Ｓ５）、その送信日時が保存される（ステップＳ６）。
【００５３】
サーバ１では、初回のログインを受け付けたときと同様に、属性情報処理部１２が属性情報を受信した後（ステップＳ１２が「ＹＥＳ」）、受信した属性情報からジャンルおよびリリース年に関する情報を抽出する（ステップＳ１３）。さらに、属性情報処理部１２は、分析テーブル記憶部１０Ｂを検索してログイン中のユーザＩＤに対応する分析テーブルを見つけ（ステップＳ１４が「ＹＥＳ」）、この分析テーブルをステップＳ１３で抽出された情報により更新する（ステップＳ１６）。
【００５４】
なお、ユーザ端末２に新規の楽曲ファイルが保存されていない場合には、ユーザ端末２のステップ４〜Ｓ６の処理はスキップされ、サーバ１でもステップＳ１２が「ＮＯ」となって、ステップＳ１３，Ｓ１４，Ｓ１６がスキップされる。
【００５５】
属性情報に関する処理を終えたユーザ端末２では、ステップＳ７が「ＮＯ」となってステップＳ８に進み、コンテンツ受信部２３によって、サーバ１にコンテンツデータの送信要求を送信する。この送信要求には、先のサーバ１からのメール受信に対するアクセスに対応するアドレスが含まれる。
【００５６】
サーバ１では、配信処理部１８が上記の送信要求を受け（ステップＳ１７が「ＹＥＳ」）、送信要求中のアドレスに対応するコンテンツＩＤにより配信管理テーブルを参照して、送信要求を行ったユーザ端末２が正当なターゲットであるか否かをチェックする。ここで正当なターゲットであると確認すると（ステップＳ１８が「ＹＥＳ」）、配信処理部１８は、要求されたコンテンツデータを配信情報記憶部１０Ｃから読み出し、ユーザ端末２に送信する（ステップＳ１９）。なお、ステップＳ１８の判定は必ずしも必要ではなく、送信要求へのリンク先に該当するコンテンツデータが保存されていることの確認をもって、当該コンテンツデータを送信してもよい。
【００５７】
ユーザ端末２では、コンテンツ受信部２３によって上記のコンテンツデータを受信した後に（ステップＳ９が「ＹＥＳ」）、コンテンツ再生処理部２４によって、当該コンテンツデータに基づくコンテンツを再生する（ステップＳ１０）。
【００５８】
なお、上記の実施例では、ユーザ端末２において、サーバ１へのログインが行われる都度、楽曲フォルダ２５を検索し、新規の楽曲ファイルの属性情報が見つかった場合には、すぐにこれをサーバ１に送信するようにしたが、これに限らず、前回の送信から所定の期間が経過している場合にのみ、検索や送信を行うようにしてもよい。
【００５９】
また、上記の実施例では、ユーザ端末２が保有する楽曲ファイル中の属性情報の全てをサーバ１に送信する一方で、サーバ１において分析テーブルの作成に必要な情報（ジャンルおよびリリース年に関する情報）のみを抽出しているが、ユーザ端末２の側で、分析テーブルの作成に必要な情報のみを抽出するようにしてもよい。
【００６０】
分析テーブルの作成に用いる情報は、ジャンル、リリース年に限らず、たとえば、作曲者や実演家の具体的な名称毎に頻度を求めてもよい。その場合には、ターゲットの指定において、作曲者や実演家の名称をもった指定を受け付け、その指定された名称に関して基準値以上の頻度が格納されている分析テーブルを検索する方法により、ターゲットのユーザを特定することができる。
【００６１】
図２（Ｂ）に示した構成の分析テーブルと共に、元の属性情報をユーザＩＤ毎に読み出せる形式で保存しておき、詳細な指定を受け付けた場合に、保存されている属性情報群を分析して指定内容に適合するユーザを特定してもよい。または、分析テーブルを設けることなく、ユーザ端末２から送信された属性情報そのものをユーザ毎に蓄積し、これらの蓄積情報を分析して顧客端末３からの指定の内容に適合するユーザを特定してもよい。
【００６２】
ユーザ情報記憶部１０Ａに基本情報以外の情報（年齢、性別、職業、居住地など）が登録されている場合には、これらの情報に関する条件を楽曲の好みに関する条件に加えて指定することによって、ターゲットの条件をより詳細に絞り込んでもよい。また、ユーザ端末２がＧＰＳ機能を有する装置である場合には、顧客端末３からの配信対象の地域の指定を受け付けるか、又は配信依頼者の事業所が属する地域を取得し、これら指定又は取得した地域と各ユーザ端末２から取得した位置情報とに基づきターゲットを特定してもよい。
【００６３】
上記の実施例では、ターゲットとして抽出されたユーザに確実に情報を配信すると同時に当該ユーザが新規に保存した楽曲ファイルの属性情報を取得するために、コンテンツデータへのリンクが設定された電子メールを送信し、リンクへのアクセスに対してログイン認証を行ったが、その目的を考慮する必要がなければログイン認証をなくし、リンクへのアクセスに応じて直ちにコンテンツデータを送信してもよい。
【００６４】
ターゲットとして抽出されたユーザに対する情報の配信方法も、上記実施例のような２段階方式の通知に限定されるものではない。たとえば、ログインの認証後に、認証されたユーザＩＤにより配信管理テーブルを検索し、このユーザＩＤがターゲットとして紐付けられ通知の時期が到来しているコンテンツデータがあれば、それを読み出してユーザ端末２に送信するようにしてもよい。また、このような変更をする場合には、顧客端末３から通知の日時の指定を受け付けることなく、配信管理テーブルに格納されてから一定期間以内にあるデータを有効として（または顧客端末３からデータを有効にする期間の指定を受けて）、有効なデータのみを配信してもよい。また各ユーザについてユーザ情報記憶部１０Ａに住所が登録される場合には、コンテンツデータの配信に代えて、配信対象の情報が記された印刷物をターゲットとなるユーザ宛に郵便で送付してもよい。
【００６５】
ユーザ端末２がサーバ１にアクセスする場合のログイン認証をなくす場合には、ユーザ端末２の識別番号（以下「端末ＩＤ」という。）によって各ユーザを特定できるようにしてもよい。たとえば、ユーザ情報記憶部１０Ａに基本情報として端末ＩＤを保存すると共に、この端末ＩＤをキーとして各ユーザの分析テーブルを基本情報に紐付けし、ターゲットの特定も端末ＩＤにより行うことができる。このケースにおいて、基本情報をユーザ端末ＩＤのみとしても、ユーザ端末２がサーバ１にアクセスしたときにその端末ＩＤにより配信管理テーブルを検索し、当該端末ＩＤがターゲットして紐付けられているコンテンツデータをユーザ端末２に配信することができる。
【００６６】
コンテンツデータとして、標準的な画像データや音声データを送信する場合には、コンテンツ受信部２３やコンテンツ再生処理部２４を専用のアプリケーション２０に設けずに、ユーザ端末２に標準装備されている機能を用いてコンテンツデータの受信や再生を行ってもよい。しかし、拡張現実表示などの特殊なコンテンツによる情報配信を行う場合には、配信されるコンテンツデータに応じた専用のコンテンツ受信部２３やコンテンツ再生処理部２４を含むアプリケーションプログラムを提供するのが望ましい。
【００６７】
拡張現実表示のコンテンツによる情報配信を行う場合には、各ユーザに、あらかじめ拡張現実表示のトリガとなるパターンが記された物体（たとえば会員登録証）を提供し、撮影機能を有するユーザ端末２で上記のパターンが撮影されたことに応じて、サーバ１への自動ログインが実行され、このログインで認証されたユーザＩＤによる検索により見つかったコンテンツデータを、ユーザ端末２に送信してもよい。このような方法によれば、同じパターンを撮影しても、その撮影者や撮影の日時によって異なる内容の情報が配信されるので、ユーザの関心が高められ、サーバ１への積極的なアクセスを促すことができる。
【００６８】
このほか、ユーザ端末２のアプリケーション２０に、オンラインゲーム、ＳＮＳ用のアプリケーション、ニュースなどの一般的情報の配信用のアプリケーションなど、ユーザにとって魅力のあるツールを含めることによって、サーバ１へのアクセスを促すこともできる。このようにすれば、適宜、アクセスしたユーザ端末２から楽曲ファイルの属性情報を取得したり、当該ユーザ端末２がターゲットに設定された情報を配信することができる。
【００６９】
各ユーザから、音楽以外の分野に関する好みに関する情報を取得できる場合には、これらの情報および楽曲ファイルの属性情報の双方をユーザ毎に蓄積し、蓄積された情報を分析することによって、各ジャンルの音楽を好む人々が関心を持つ可能性が高い商品やサービスなどを割り出し、その分析結果をふまえて、各種分野の情報配信のターゲット像を音楽の好みのジャンルにより特定することもできる（年代まで特定してもよい。）。
【００７０】
さらに上記の特定の結果に基づき、音楽のジャンル毎に、そのジャンルの音楽を好む人々が関心を持つ可能性が高い情報を収集して配信することができる。その逆に、音楽以外の所定の分野に関してある共通の好みを持つ人々に対し、その人々が好む可能性が高い音楽ジャンルの情報を配信してもよい。これらの情報の配信はサーバ１に登録されているユーザに限定することなく、配信先として特定された内容に適合する好みを持つ登録外の人々に配信してもよい。
【００７１】
さらに、上記特定の結果に基づき、各種分野の事業者らに、それぞれの情報の配信先に適した人の人物像を好みの音楽ジャンルにより表して紹介し、販促活動に役立ててもらうこともできる。たとえば、店舗を運営する事業者に対し、その店舗が取り扱う商品やサービスに関心を持つ人々が好む可能性が高い音楽のジャンルを知らせて、そのジャンルの音楽をＢＧＭとして利用するように提案することができる。また、所定のイベントへの来場者が関心を持つ可能性が高い音楽ジャンルについてのコンサートの主催者に、そのイベントの会場でコンサートのチラシを配布するように提案することもできる。
【符号の説明】
【００７２】
１  サーバ
２  ユーザ端末
３  顧客端末
１０Ａ  ユーザ情報記憶部
１０Ｂ  分析テーブル記憶部
１０Ｃ  配信情報記憶部
１０Ｄ  配信管理テーブル記憶部
１０Ｅ  顧客情報記憶部
１２  属性情報処理部
１３  アプリケーション提供部
１５  配信依頼受付部
１６  ターゲット抽出部
１７  管理テーブル作成部
２０  アプリケーション
２１  楽曲属性情報抽出部
２２  楽曲属性情報送信部
２３  コンテンツ受信部
２４  コンテンツ再生処理部
２５  楽曲フォルダ
【図１】
2017027481.tif 000003
【図２】
2017027481.tif 000004
【図３】
2017027481.tif 000005
【図４】
2017027481.tif 000006
【図５】
2017027481.tif 000007
【図６】
2017027481.tif 000008